(57)【要約】【課題】電装用途に使用されるブラシ付モータにおいて、低コスト、長寿命化が成立出来るモータのブラシホルダーおよび製造方法を目的とする。【解決手段】樹脂成形のブラシホルダー２にてブラシ１を摺動自在に保持する箇所を有し、かつブラシ１摺動面と対向する面に真鍮板、またはメッキ鋼板のカバープレート８を有し、カバープレート孔９にストッパー１１をセットしてブラシバネ３のバネ圧をストッパー１１で仮止めしてブラシ１を全体またはモータ組立の弊害にならない位置まで収納可能とした単純な製造方法でモータの低コスト化、長寿命化を得られるものである。【選択図】図１
2015039264.tif 000002
【特許請求の範囲】
【請求項１】
整流子モータの巻線に給電する整流子を有したロータに対し外周側に対向するように配置されたステータとなる前記整流子モータのブラシホルダーであって、前記整流子に摺接して前記巻線に給電するためのブラシと、前記ブラシが前記ロータに摺動する摺動面を前記ロータに押圧するとともに前記摺動面の反対側端面に当接するブラシバネ当接面とで接するブラシバネと、前記ブラシの摺動面に対するブラシ側面に接続されたピグテール線と、前記ブラシを保持するブラシ箱を備え、前記摺動面に対するブラシ箱側面にピグテール用の溝が前記ブラシの摺動面に向けて前記ブラシ箱の端面まで突き抜けて形成しており、前記ブラシの摺動面の側面にこのブラシ箱内の前記ブラシバネが全圧縮した位置よりも圧縮方向手前（前記ロータ側）に孔があることを特徴とするブラシホルダー。
【請求項２】
前記ブラシ箱の側面は真鍮板またはメッキ鋼板のカバープレートにより成形され、このカバープレートは前記孔を有し、樹脂製のブラシホルダーに前記カバープレートを固着することにより前記ブラシ箱を形成することを特徴とする請求項１に記載のブラシホルダー。
【請求項３】
請求項１または２に記載のブラシホルダーにおいて、前記孔に前記ブラシバネ用のストッパーを挿入してブラシバネを圧縮した状態で仮止めすることを特徴とするブラシホルダーの製造方法。
【請求項４】
前記ストッパーは、平板またはピンであることを特徴とする請求項３に記載のブラシホルダーの製造方法。
【発明の詳細な説明】
【技術分野】
【０００１】
本発明は、自動車等のラジエータ冷却ファンやカーエアコン用コンデンサ冷却ファン等の電装分野に使用されるモータに関する。
【背景技術】
【０００２】
従来、整流子モータに使用されるブラシホルダーは図５に示しているものがある（特許文献１参照）。従来例１のモータのブラシホルダーを図５と図６を用いて説明する。
【０００３】
図５は従来例１のブラシホルダー断面図を示す。図６は従来例１のブラシホルダー縦断面図を示す。
【０００４】
ピグテールの一端を固着したブラシ１と前記ブラシ１を収納し、かつ摺動自在に保持するブラシホルダー２と、前記ブラシ１をブラシホルダー２の一開口端側へ押圧付勢するブラシバネ３を備えるものにおいて、前記ブラシ１全体がブラシホルダー２内に収納された状態において前記ブラシバネ３とブラシ１の当接面位置に、ブラシホルダー２およびブラシ箱４を貫通してブラシバネ係り止め用のストッパー１１が挿入可能な貫通孔１０を設けている。
【０００５】
また、導電部であるブラシ箱にブラシバネのバネ圧を抑えるものもある（特許文献２参照）。従来例２のモータのブラシホルダーを図７を用いて説明する。図７は従来例２のブラシ挿入直前状態を示すブラシホルダー縦断面図を示す。ブラシ１とブラシバネ３を収納する金属製のブラシ箱４からなり、前記ブラシ箱４の一つの面に一体で前記ブラシ１と接する内面側に張り出したブラシ切り起こし面部５を設け、前記ブラシ切り起こし面部５をブラシ切り欠き部６に挿入する。また、ブラシ切り起こし面部５の先端にブラシ箱の外側より引張り可能なブラシ固定解除脚部７を設けている。
【先行技術文献】
【特許文献】
【０００６】
【特許文献１】実開昭６２−４１３６５号公報
【特許文献２】実開平４−４７３６３号公報
【発明の概要】
【発明が解決しようとする課題】
【０００７】
しかしながら、前記特許文献１の構造では、ブラシとブラシバネの間にストッパーを挿入するという構造になっている。この構造ではブラシが挿入された状態でストッパーを刺すため、精度の高い工程が必要であり、さらにピグテールをストッパーの中央にピグテールを挟みこむ必要があり、作業工数がアップという課題があった。
【０００８】
また、前記従来例２の構成では、図７においてブラシ箱の切り起こし部を設置するためにブラシ側面にバネ圧を抑制するためのブラシ箱に係り止め用の切り欠きが必要で、かつ前記係り止めを解除するためにブラシ箱の切り起こし部分をモータフレーム外に出す必要があった。さらにブラシにおいても切り起こし部をブラシに挿入してバネ圧を抑えるため、ブラシにも切り欠き部が必要でモータ寿命にも影響が出る。更に解除部分はモータフレーム外のためシールする必要があり、コストアップ、および工数アップという課題があった。
【０００９】
本発明は、前記従来例の課題を解決するもので、カバープレートにストッパーセット用
の孔を有する事でブラシおよびブラシバネを単独で組立可能にするブラシホルダーおよび製造方法を提供することを目的とする。
【課題を解決するための手段】
【００１０】
前記従来の課題を解決するために、本発明はブラシ箱からブラシをピグテールが付いた状態で取り出し可能であり、ブラシを取り出した状態で、ストッパーを挿入することが出き、ブラシバネを棒状の治具等によりブラシ箱内部に押しこんだ状態で全圧縮状態にし、その状態でストッパー挿入することが可能なため、ストッパーを挿入しやすい事を特徴とする。
【００１１】
これによってブラシ挿入前にブラシバネのバネ圧をストッパーで仮止めして単純作業とする事で工数削減を可能としたものである。
【発明の効果】
【００１２】
本発明によれば、ブラシホルダーへの穴加工および複雑なストッパーを不要とし、ストッパーの挿入作業も簡単で低コスト化という効果が得られる。
【図面の簡単な説明】
【００１３】
【図１】本発明の実施の形態１におけるブラシホルダー平面図
【図２】本発明の実施の形態１におけるブラシホルダー側面図
【図３】図１のＡ−Ａ矢視断面図
【図４】本発明の実施の形態１における整流子モータ平面図
【図５】従来例１を示すブラシホルダー断面図
【図６】従来例１を示すブラシホルダー縦断面図
【図７】従来例２のブラシ挿入直前状態を示すブラシホルダー縦断面図
【発明を実施するための形態】
【００１４】
本発明はブラシのピグテールをブラシ側面に有し、カバープレート孔にストッパーでブラシバネを仮止めして作業を単純にさせる。
【００１５】
以下、本発明の実施の形態について、図面を参照しながら説明する。なお、この実施の形態によって本発明が限定されるものではない。
【００１６】
（実施の形態１）
実施の形態１について、図１から図４を用いて説明する。図１は、本発明の第１の実施の形態１におけるブラシホルダー２の平面図である。図２はブラシホルダー２の側面図である。図３は図１のＡ−Ａ矢視断面図である。図４は本発明の実施の形態１における整流子モータ平面図である。
【００１７】
樹脂成形のブラシホルダー２にてブラシ１を摺動自在に保持する箇所を有し、かつブラシ摺動面と対向する面に真鍮板、またはメッキ鋼板のカバープレート８を有し、カバープレート８にはストッパー１１セット用のカバープレート孔９を有し、ピグテールの一端を側面に固着したブラシ１を収納するブラシ箱を有するブラシホルダー２の構成である。以上のように構成されたブラシホルダー２について、以下その動作、作用を説明する。
【００１８】
図１において、斜線で示されているブラシ１はブラシバネ３を治具またはピンセット等で全圧縮させ、ストッパー１１で仮止めした状態である。また図１における二点鎖線で示す円はモータ組立時に他部品が入り込むスペースである。他部品は省略している。よって図１におけるブラシ１はモータ組立上、問題無い位置である。
【００１９】
図２のように、ブラシ１を取り出した状態で、ストッパー１１を挿入することが出き、ブラシバネ３を棒状の治具（図示せず）等によりブラシ箱内部に押しこんだ状態で全圧縮状態にし、その状態でストッパー挿入することが可能なため、ブラシバネ３をブラシ１挿入前に仮止めする事で従来例１に示すようなブラシ１とブラシバネ３の間に挿入する手間が省ける。前記よりストッパー１１の位置はカバープレート８のカバープレート孔９の内径方向で決定するが、ブラシ１とブラシバネ３の組立を分離して行うため、カバープレート孔９の内径方向の寸法はブラシバネ３の全圧縮位置から内径方向に０．５ｍｍ程度の範囲まで設定可能となる。
【００２０】
また、本発明は図２に示すようにブラシ１のピグテール１４がブラシ１の側面に有しており、ブラシ箱４の側面のピグテール用の溝１５からピグテール１４を挿入するため、図６のピグテール１４のようにストッパー１１の中央の溝の間に挟む必要が無いため、図３のストッパー１１のように形状は単純な平板またはピンとすることができる。さらに図４は整流子モータの組立図であるが、ブラシホルダー２と電機子１２は別工程のため、モータ組立においてはストッパー１１がモータ組立の弊害になる事はなく、図４のモータの最終組立状態でストッパー１１を解除出来る。
【産業上の利用可能性】
【００２１】
本発明は自動車等のラジエータ冷却ファンやカーエアコン用コンデンサ冷却ファン等の電装分野に使用される低コスト化、長寿命化を目的として有用である。
【符号の説明】
【００２２】
１  ブラシ
２  ブラシホルダー
３  ブラシバネ
４  ブラシ箱
５  ブラシ切り起こし面部
６  ブラシ切り欠き部
７  ブラシ固定解除脚部
８  カバープレート
９  カバープレート孔
１０  貫通孔
１１  ストッパー
１２  電機子
１３  ブラケット
１４  ピグテール
１５  ピグテール用の溝
【図１】
2015039264.tif 000003
【図２】
2015039264.tif 000004
【図３】
2015039264.tif 000005
【図４】
2015039264.tif 000006
【図５】
2015039264.tif 000007
【図６】
2015039264.tif 000008
【図７】
2015039264.tif 000009